(57)【要約】【課題】外部からの視線を遮ることができ、また、四季や地方に応じて角度の異なる日射しに対して最適設計することのできる手摺壁及び建物を提供する。【解決手段】第一手摺壁Ｂは、複数の水平材Ｂ９，Ｂ９，…が所定間隔に上下に並べて設けられ、上側の水平材Ｂ９の背面部Ｂ９２の下端部Ｂ９２aと、下側の水平材Ｂ９の背面部Ｂ９２の上端部Ｂ９２bとの間の高さＨと、水平材Ｂ９の正面部Ｂ９１と背面部Ｂ９２との間の厚さＴと、厚さＴ方向に対する冬至の南中時における太陽角度αと、厚さＴ方向に対する夏至の南中時における太陽角度βとが以下の式（１）を満たす。  Ｔ（tanβ−tanα）＝Ｈ・・・（１）【選択図】図７
2008150858.tif 000002
【特許請求の範囲】
【請求項１】
複数の水平材が所定間隔に上下に並べて設けられた手摺壁であって、
前記水平材は、前後に互いに対向して配された正面部及び背面部と、これら正面部及び背面部の側方に互いに対向して配された一対の側面部と、前記正面部及び背面部の上下に互いに対向して配された上面部及び下面部とを備え、
前記上面部及び前記下面部が前記正面部側から前記背面部側に向けて下方に傾斜し、
上下に互いに隣接する水平材における前記正面部同士が同一平面上に配置されるとともに、前記背面部同士が同一平面上に配置され、
上側の水平材の背面部の下端部と、下側の水平材の背面部の上端部との間の高さＨと、前記水平材の前記正面部と前記背面部との間の厚さＴと、前記厚さＴ方向に対する冬至の南中時における太陽角度αと、前記厚さＴ方向に対する夏至の南中時における太陽角度βとが以下の式（１）を満たすことを特徴とする手摺壁。
Ｔ（tanβ−tanα）＝Ｈ・・・（１）
【請求項２】
前記上面部と前記下面部とが互いに平行ではないことを特徴とする請求項１に記載の手摺壁。
【請求項３】
前記上面部が曲面であることを特徴とする請求項２に記載の手摺壁。
【請求項４】
前記上面部が側断面視山形状であることを特徴とする請求項２に記載の手摺壁。
【請求項５】
複数の水平材は、前記水平材の左右方向に所定間隔に設けられて上下に延在する複数の支持材によって支持されていることを特徴とする請求項１〜４のいずれか一項に記載の手摺壁。
【請求項６】
請求項１〜５に記載の手摺壁を備えたことを特徴とする建物。
【発明の詳細な説明】
【技術分野】
【０００１】
本発明は、複数の水平材が所定間隔に上下に並べて設けられた手摺壁及び手摺壁を備えた建物に関する。
【背景技術】
【０００２】
ベランダやバルコニー等の手摺用壁として、視線を遮るとともに光を十分に供給することのできるパネル構造体が知られている（例えば、特許文献１参照）。このパネル構造体は、正面部、背面部、上面部、下面部及び左右側面部からなる側断面視平行四辺形状の横桟が上下に多数取り付けられてなるものである。
【特許文献１】特開２００１−５９２６４号公報
【発明の開示】
【発明が解決しようとする課題】
【０００３】
ところで、夏場の日射しは強く、冬場の日射しは弱いため、夏場の日射しを遮り、冬場の日射しは室内に取り込むことが望まれている。また、地方によって夏場の日射しや冬場の日射しの角度が異なるため、上記特許文献１に記載のパネル構造体では四季や地方の日射しに対応することができないという問題があった。さらに、外部からの視線も遮ることが要求されている。
本発明は、上記事情に鑑みてなされたもので、外部からの視線を遮ることができ、また、四季や地方に応じて角度の異なる日射しに対して最適設計することのできる手摺壁及び建物を提供することを目的としている。
【課題を解決するための手段】
【０００４】
上記課題を解決するため、請求項１の発明は、例えば図４〜図７に示すように、複数の水平材Ｂ９，Ｂ９，…が所定間隔に上下に並べて設けられた手摺壁（例えば、第一手摺壁Ｂ）であって、
前記水平材Ｂ９，Ｂ９，…は、バルコニー５に対して前後に互いに対向して配された正面部Ｂ９１及び背面部Ｂ９２と、これら正面部Ｂ９１及び背面部Ｂ９２の側方に互いに対向して配された一対の側面部Ｂ９３，Ｂ９４と、前記正面部Ｂ９１及び背面部Ｂ９２の上下に互いに対向して配された上面部Ｂ９５及び下面部Ｂ９６とを備え、
前記上面部Ｂ９５及び前記下面部Ｂ９６が前記正面部Ｂ９１側から前記背面部Ｂ９２側に向けて下方に傾斜し、
上下に互いに隣接する水平材Ｂ９，Ｂ９における前記正面部Ｂ９１，Ｂ９１同士が同一平面上に配置されるとともに、前記背面部Ｂ９２，Ｂ９２同士が同一平面上に配置され、
上側の水平材Ｂ９の背面部Ｂ９２の下端部Ｂ９２aと、下側の水平材Ｂ９の背面部Ｂ９２の上端部Ｂ９２bとの間の高さＨと、前記水平材Ｂ９の前記正面部Ｂ９１と前記背面部Ｂ９２との間の厚さＴと、前記厚さＴ方向に対する冬至の南中時における太陽角度αと、前記厚さＴ方向に対する夏至の南中時における太陽角度βとが以下の式（１）を満たすことを特徴とする。
Ｔ（tanβ−tanα）＝Ｈ・・・（１）
【０００５】
請求項１の発明によれば、水平材Ｂ９の上面部Ｂ９５及び下面部Ｂ９６が正面部Ｂ９１側から背面部Ｂ９２側に向けて下方に傾斜しているので、地上から上方を見上げた際に各水平材Ｂ９，Ｂ９，…の下面部Ｂ９６によって視線を遮ることができる。また、各水平材Ｂ９，Ｂ９同士は所定間隔に上下に並べられているため、互いに隣接する水平材Ｂ９，Ｂ９同士の隙間Ｂ９aから採風を確保することができる。
また、互いに隣接する水平材Ｂ９，Ｂ９の隙間Ｂ９aを介して光が射し込むことになるが、上側の水平材Ｂ９の背面部Ｂ９２の下端部Ｂ９２aと、下側の水平材Ｂの背面部Ｂ９２の上端部Ｂ９２bとの間の高さＨと、水平材Ｂ９２の厚さＴと、冬至の南中時における太陽角度αと、夏至の南中時における太陽角度βとが上記式（１）を満たすので、四季や各地方に応じて日射角度の異なる日射しに対応した最適設計とすることができる。すなわち、各地方に応じた夏場の日射しＳを遮ることができるとともに、冬場の日射しＷを確実に室内へと取り込むことができる。
また、上下に互いに隣接する水平材Ｂ９，Ｂ９の正面部Ｂ９１，Ｂ９１同士が同一平面上に配置され、背面部Ｂ９２，Ｂ９２同士は同一平面上に配置されているので、足の掛かりにくい形状とすることができる。また、バルコニー５の外側及び内側から見た際の外観を優れたものとすることができる。
【０００６】
請求項２の発明は、例えば図７に示すように、請求項１に記載の手摺壁（第一手摺壁Ｂ）において、
前記上面部Ｂ９５と前記下面部Ｂ９６とが互いに平行ではないことを特徴とする請求項１に記載の手摺壁。
【０００７】
請求項２の発明によれば、上面部Ｂ９５と下面部Ｂ９６とが互いに平行ではないので、上面部Ｂ９５又は下面部Ｂ９６で反射した光が分散されることによって、夏場の強い日射しを遮ることができる。
【０００８】
請求項３の発明は、例えば図１１に示すように、請求項２に記載の手摺壁において、
前記上面部Ｆ９５が曲面であることを特徴とする。
【０００９】
請求項３の発明によれば、上面部Ｆ９５が曲面であるので、上面部Ｆ９５で反射した光が分散されることによって、夏場の強い日射しを遮ることができる。
【００１０】
請求項４の発明は、例えば図１２に示すように、請求項２に記載の手摺壁において、
前記上面部Ｇ９５が側断面視山形状であることを特徴とする。
【００１１】
請求項４の発明によれば、上面部Ｇ９５が側断面視山形状であるので、上面部Ｇ９５で反射した光が分散されることによって、夏場の強い日射しを遮ることができる。
【００１２】
請求項５の発明は、例えば、図４〜図６に示すように、請求項１〜４のいずれか一項に記載の手摺壁（第一手摺壁Ｂ）において、
複数の水平材Ｂ９，Ｂ９は、前記水平材Ｂ９の左右方向に所定間隔に設けられて上下に延在する複数の支持材Ｂ１０，Ｂ１０，…によって支持されていることを特徴とする。
【００１３】
請求項５の発明によれば、複数の水平材Ｂ９，Ｂ９は、水平材Ｂ９の左右方向に所定間隔に設けられて上下に延在する複数の支持材Ｂ１０，Ｂ１０，…によって支持されているので、水平材Ｂ９の取り付けが容易となるとともに水平材Ｂ９を確実に支持固定することができる。
【００１４】
請求項６の発明は、例えば図１及び図２に示すように建物１において、
請求項１〜５に記載の手摺壁（第一手摺壁Ｂ）を備えたことを特徴とする。
【００１５】
請求項６の発明によれば、手摺壁Ｂの水平材Ｂ９は、上側の水平材Ｂ９の背面部Ｂ９２の下端部Ｂ９２aと、下側の水平材Ｂの背面部Ｂ９２の上端部Ｂ９２bとの間の高さＨと、水平材Ｂ９２の厚さＴと、冬至の南中時における太陽角度αと、夏至の南中時における太陽角度βとが上記式（１）を満たすので、このような手摺壁Ｂを備えた建物１では、地上から見上げた際に視線を遮ることができ、しかも、各水平材Ｂ９，Ｂ９間の隙間Ｂ９aを介して、四季や各地方に応じた日射しを適宜確保することができる。
【発明の効果】
【００１６】
本発明によれば、外部からの視線を遮ることができ、採風も確保でき、また、四季や地方の日射しに応じて、夏場の強い日射しを遮り、冬場の弱い日射しを取り込むことのできる最適設計とすることができる。
【発明を実施するための最良の形態】
【００１７】
以下、本発明の実施の形態について図面を参照しながら説明する。
図１は、建物１の外観斜視図、図２は、建物１の二階を示す平面図である。
図１及び図２に示すように、建物本体２は一階の正面角部に玄関ポーチ４が設けられ、玄関ポーチ４の軒先の上に床部５bが張り出されてバルコニー５が形成されている。バルコニー５は、二階のリビング６の折れ戸５aを介して出入り自在となっている。また、リビング６の正面側には腰窓６aや高窓６bが設けられ、一階と二階とを繋ぐ階段７に対向する外壁面３bに採光用窓７aが設けられている。
【００１８】
バルコニー５は、建物本体２の正面側の外壁面３aと離間して形成された第一手摺壁Ｂと、建物本体２の折れ戸５a側の外壁面３cと離間して形成された第二手摺壁Ｄとを備えている。図１及び図２中、第一手摺壁Ｂの左側には第一被覆壁Ａが設けられ、右側には支持壁Ｃが設けられ、第一手摺壁Ｂは第一被覆壁Ａ及び支持壁Ｃによって挟まれている。第二手摺壁Ｄの左側には支持壁Ｃが設けられ、右側には第二被覆壁Ｅが設けられ、第二手摺壁Ｄが支持壁Ｃ及び第二被覆壁Ｅによって挟まれている。
【００１９】
第一被覆壁Ａは、二階のリビング６の正面側に位置し、腰窓６aを覆うとともに腰窓６aに対応する位置に嵌め殺し窓Ａ８が形成されている。第一被覆壁Ａは、図示しないが框材を矩形に組み立てた枠体の両面に面材を貼設し、これら面材の上から胴縁を介してサイディングを取り付けた正面視矩形状の壁パネルから形成されている。第一被覆壁Ａは、建物本体２の正面側の外壁面３aから正面側へと突出する突出部Ａ１２，Ａ１３，Ａ１４と、これら突出部Ａ１２，Ａ１３，Ａ１４に対して垂直で建物本体２の外壁面３aに対して平行となるように設けられた被覆部Ａ１５とを備え、突出部Ａ１２，Ａ１３，Ａ１４と被覆部Ａ１５とが組み立てられて構成されている。
第一被覆壁Ａの上端部は建物本体２の高窓６bの下方に位置し、下端部は玄関ポーチ４の上端部に位置している。
【００２０】
図３及び図４は、第一手摺壁Ｂを構築する際の手順を示した斜視図であり、図３は、手摺パネルＢ１が取り付けられていない状態、図４は、手摺パネルＢ１が取り付けられた状態を示している。
第一手摺壁Ｂは、第一被覆壁Ａの右側の突出部Ａ１４に隣接し、被覆部Ａ１５に対して水平となるように配置されている。第一手摺壁Ｂは、第一被覆壁Ａと支持壁Ｃとの間に第一被覆壁Ａ及び支持壁Ｃに対して水平となるように設けられた手摺パネルＢ１と、第一被覆壁Ａと支持壁Ｃとの間に設けられて手摺パネルＢ１を固定支持する上フレームＢ２、下フレームＢ３及び複数の支柱部Ｂ４，Ｂ５，Ｂ６とを備えている。
下フレームＢ３は、バルコニー５の床部５bの正面側の外縁部で第一被覆壁Ａと支持壁Ｃとの間に水平となるように架け渡された下梁材Ｂ８と所定間隔を隔てて、かつ、下梁材Ｂ８と平行となるようにその外側に設けられている。下梁材Ｂ８の上端面は、床部５bの上面よりも上方に突出している。上フレームＢ２は、下梁材Ｂ８の上方に第一被覆壁Ａと支持壁Ｃとの間に水平となるように架け渡された上梁材Ｂ７と所定間隔を隔てて、かつ、上梁材Ｂ７と平行となるようにその外側に設けられている。上フレームＢ２と下フレームＢ３との間で、両端部及び中間部には支柱部Ｂ４，Ｂ５，Ｂ６が上下に架け渡されている。上フレームＢ２、下フレームＢ３及び支柱部Ｂ４，Ｂ５，Ｂ６は図示しないブラケットによって所定位置に取り付けられている。
【００２１】
図５(a)は、手摺パネルＢ１の正面図、(b)は、手摺パネルＢ１の背面図、(c)は、手摺パネルＢ１の平面図、図６(a)は、Ｘ−Ｘ線における矢視側面図、(b)は、Ｙ−Ｙ線における部分拡大図、図７は、互いに隣接する水平材Ｂ９，Ｂ９の側面図、図８は、手摺パネルＢ１と支柱部Ｂ６との取り付け手順を示す部分斜視図である。
手摺パネルＢ１は、正面視矩形状であり、上下に等間隔に並設された複数の水平材Ｂ９，Ｂ９，…と、各水平材Ｂ９，Ｂ９，…を固定支持する複数の支持材Ｂ１０，Ｂ１０，…とを備えている。そして、各水平材Ｂ９，Ｂ９，…間に形成された隙間Ｂ９a，Ｂ９a，…を介して日射しが射し込むとともに採風される。
【００２２】
水平材Ｂ９は、図５〜図７に示すように、バルコニー５に対して前後に互いに対向して配された正面部Ｂ９１及び背面部Ｂ９２と、これら正面部Ｂ９１及び背面部Ｂ９２の左右側方に互いに対向して配された一対の側面部Ｂ９３，Ｂ９４と、正面部Ｂ９１及び背面部Ｂ９２の上下に互いに対向して配された上面部Ｂ９５及び下面部Ｂ９６とを備え、内部が中空となっている。そして、上面部Ｂ９５及び下面部Ｂ９６が正面部Ｂ９１側から背面部Ｂ９２側に向けて下方に傾斜している。
また、上下に互いに隣接する水平材Ｂ９，Ｂ９における正面部Ｂ９１，Ｂ９１同士が同一平面上に配置されるとともに、上下に互いに隣接する水平材Ｂ９，Ｂ９における背面部Ｂ９２，Ｂ９２同士が同一平面上に配置されている。そして、上側の水平材Ｂ９の背面部Ｂ９２の下端部Ｂ９２aと、下側の水平材Ｂ９の背面部Ｂ９２の上端部Ｂ９２bとの間の高さＨと、水平材Ｂ９の正面部Ｂ９１と背面部Ｂ９２との間の厚さＴと、厚さＴに対する冬至の南中時における太陽角度αと、夏至の南中時における太陽角度βとが以下の式（１）を満たしている。なお、図７中、Ｗは冬至の南中時における日射しを示し、Ｓは夏至の南中時における日射しを示している。
Ｔ（tanβ−tanα）＝Ｈ・・・（１）
具体的には、東京では冬至の南中時における太陽角度α＝３１°、夏至の南中時における太陽角度β＝７７°であることから、tanα＝０．６０、tanβ＝４．３３となり、３．７３Ｔ＝Ｈを満たす必要がある。
【００２３】
なお、図７に示す形状の水平材Ｂ９は、上記式（１）を満たす一例であって、この水平材Ｂ９は上面部Ｂ９５と下面部Ｂ９６とが互いに平行ではない。また、厚さＴに対する上面部Ｂ９５の傾斜角度γと、厚さＴに対する冬至の南中時における太陽角度αとは、下記式（２）を満たしている。すなわち、上面部Ｂ９５の傾斜角度が下面部Ｂ９６の傾斜角度よりも小さくなっているので、冬場の日射しＷを確実に取り込むことができるとともに夏場の日射しＳを遮ることができる。
γ＞α・・・（２）
【００２４】
支持材Ｂ１０は、平面視コ字状に形成されており、互いに対向する左右一対の第一の固定片Ｂ１０１，Ｂ１０２と、第一の固定片Ｂ１０１，Ｂ１０２に対して垂直に設けられて水平材Ｂ９の背面部Ｂ９２に固定される第二の固定片Ｂ１０３とを備えている。そして、水平材Ｂ９が上下に等間隔で水平となるように複数並べられ、水平材Ｂ９の両端部及び中間部に支持材Ｂ１０，Ｂ１０，…がそれぞれ設けられている。各水平材Ｂ９，Ｂ９，…と支持材Ｂ１０，Ｂ１０，…とは、水平材Ｂ９の背面部Ｂ９２に支持材Ｂ１０の第二の固定片Ｂ１０３が当接されて、第二の固定片Ｂ１０３側から水平材Ｂ９側に向けてネジＮ１がねじ込まれることによって固定されている（図６参照）。なお、水平材Ｂ９の背面部Ｂ９２のうちネジＮ１がねじ込まれる部分は、水平材Ｂ９の内側に凸となっており他の部分よりも若干肉厚に形成されている。
このようにして支持材Ｂ１０，Ｂ１０，…によって固定された水平材Ｂ９，Ｂ９，…は、上下に互いに隣接する水平材Ｂ９，Ｂ９の正面部Ｂ９１，Ｂ９１同士は同一平面上に配され、背面部Ｂ９２，Ｂ９２同士も同一平面上に配されている。
【００２５】
上述のように構成された手摺パネルＢ１は、第一被覆壁Ａと支持壁Ｃとの間に組みつけられた上フレームＢ２、下フレームＢ３及び支柱部Ｂ４，Ｂ５，Ｂ６に取り付けられている。支柱部Ｂ４，Ｂ５，Ｂ６の外面には、手摺パネルＢ１の支持材Ｂ１０を取り付けるためのブラケットＢ１１が上下に所定間隔で設けられている（図８では図面の関係上一つのみ図示）。ブラケットＢ１１は支持材Ｂ１０と同様に平面視コ字状をなし、支持材Ｂ１０に嵌め込まれるように支持材Ｂ１０よりも若干小さく形成されている。そして、支持材Ｂ１０をブラケットＢ１１に嵌め込み、支持材Ｂ１０の第一の固定片Ｂ１０１からネジＮ２がねじ込まれることにより支持材Ｂ１０，Ｂ１０，…が支柱部Ｂ４，Ｂ５，Ｂ６に固定されて、手摺パネルＢ１が第一被覆壁Ａと支持壁Ｃとの間に取り付けられている。
このようにして取り付けられた第一手摺壁Ｂの上端部は第一被覆壁Ａの上端部と同程度の高さである。
【００２６】
図２及び図３に示すように、支持壁Ｃは、第一手摺壁Ｂの右側に隣接するとともに第一手摺壁Ｂに対して直交して設けられ、第一被覆壁Ａと同様に框材、面材、胴縁、サイディングからなる壁パネルから構成されている。この支持壁Ｃは、バルコニー５及び玄関ポーチ４に近接して下部を地中に埋め込まれた基礎の上に立設されている。支持壁Ｃの上端部は第一手摺壁Ｂと同程度の高さである。
【００２７】
図９及び図１０は、第二手摺壁Ｄを構築する際の手順を示した斜視図であり、図９は、手摺パネルＤ１が取り付けられていない状態、図１０は、手摺パネルＤ１が取り付けられた状態を示している。
図９及び図１０に示すように、第二手摺壁Ｄは、支持壁Ｃの第一手摺壁Ｂと反対側の端部に隣接して支持壁Ｃに対して水平となるように配置されている。第二手摺壁Ｄは、支持壁Ｃと第二被覆壁Ｅとの間に支持壁Ｃ及び第二被覆壁Ｅに対して水平となるように設けられた手摺パネルＤ１と、支持壁Ｃと第二被覆壁Ｅとの間に設けられて手摺パネルＤ１を固定支持する上フレームＤ２、下フレームＤ３、中間フレームＤ１２，Ｄ１３及び複数の支柱部Ｄ４，Ｄ５，Ｄ６とを備えている。
中間フレームＤ１２は、バルコニー５の床部５bの側面側の外縁部で支持壁Ｃと第二被覆壁Ｅとの間に水平となるように架け渡された下梁材Ｄ８と所定間隔を隔てて、かつ、下梁材Ｄ８と平行となるようにその外側に設けられている。下梁材Ｄ８の上端面は、床部５bの上面よりも上方に突出している。上フレームＤ２は、下梁材Ｄ８の上方に支持壁Ｃと第二被覆壁Ｅとの間に水平となるように架け渡された上梁材Ｄ７と所定間隔を隔てて、かつ、上梁材Ｄ７と平行となるようにその外側に設けられている。また、中間フレームＤ１２の下方には、中間フレームＤ１３が同様に支持壁Ｃと第二被覆壁Ｅとの間に水平となるように架け渡されている。さらに、中間フレームＤ１３の下方で玄関ポーチ４の外側には、下フレームＤ３が支持壁Ｃと第二被覆壁Ｅとの間に水平となるように架け渡されている。上フレームＤ２と下フレームＤ３との間で、両端部及び中間部には支柱部Ｄ４，Ｄ５，Ｄ６が上下に架け渡されている。上フレームＤ２、下フレームＤ３、中間フレームＤ１２，Ｄ１３及び支柱部Ｄ４，Ｄ５，Ｄ６は図示しないブラケットによって所定位置に取り付けられている。
【００２８】
手摺パネルＤ１は、正面視矩形状であり、上下に等間隔に並設された複数の水平材Ｄ９，Ｄ９，…と、各水平材Ｄ９，Ｄ９，…を固定支持する複数の支持材Ｄ１０，Ｄ１０，…とを備えている。これら水平材Ｄ９，Ｄ９，…及び支持材Ｄ１０，Ｄ１０，…は、第一手摺壁Ｂにおける手摺パネルＢ１の水平材Ｂ９，Ｂ９，…及び支持材Ｂ１０，Ｂ１０，…と同様のためその説明を省略する。
【００２９】
上述のように構成された手摺パネルＤ１は、支持壁Ｃと第二被覆壁Ｅとの間に組みつけられた上フレームＤ２、下フレームＤ３、中間フレームＤ１２，Ｄ１３及び支柱部Ｄ４，Ｄ５，Ｄ６に取り付けられている。支柱部Ｄ４，Ｄ５，Ｄ６の外面に上下に所定間隔で設けられたブラケットＤ１１，Ｄ１１，…に、手摺パネルＤ１の支持材Ｄ１０，Ｄ１０，…が嵌めこまれてネジ（図示しない）がねじ込まれることにより支持材Ｄ１０，Ｄ１０，…が支柱部Ｄ４，Ｄ５，Ｄ６に固定されて、手摺パネルＤ１が支持壁Ｃと第二被覆壁Ｅとの間に取り付けられている。
このようにして取り付けられた第二手摺壁Ｄの上端部は支持壁Ｃの上端部と同程度の高さである。
【００３０】
第二被覆壁Ｅは、第二手摺壁Ｄの支持壁Ｃと反対側の端部に隣接するとともに支持壁Ｃに対して水平となるように設けられ、支持壁Ｃと同様に框材、面材、胴縁、サイディングからなる壁パネルから形成されている。第二被覆壁Ｅは、建物本体２の側面側の外壁面３bから側面側へと突出する突出部Ｅ２，Ｅ３と、これら突出部Ｅ２，Ｅ３に対して垂直で建物本体２の外壁面３bに対して平行となるように設けられた被覆部Ｅ１とを備え、突出部Ｅ２，Ｅ３と被覆部Ｅ１とが組み立てられて構成されている。また、この第二被覆壁Ｅは、バルコニー５及び玄関ポーチ４に近接して下部を地中に埋め込まれた基礎の上に立設されている。第二被覆壁Ｅには、建物本体２の採光用窓７aを覆うように位置しており、この採光用窓７aに対応する位置に嵌め殺し窓Ｅ４が形成されている。第二被覆壁Ｅの上端部は第二手摺壁Ｄと同程度の高さである。
【００３１】
次に、上述した建物１の施工手順について説明する。
まず、建物本体２をパネル工法等で組み立てるとともに、框材を矩形状に組み付けてなる枠体の両面に面材を貼設し、それらの面材の上から胴縁を介してサイディングを取り付けて、第一被覆壁Ａの壁パネルを形成しておく。また、支持壁Ｃ及び第二被覆壁Ｅについても第一被覆壁Ａと同様に壁パネルを形成しておく。このとき第一被覆壁Ａの被覆部Ａ１５には建物本体２の腰窓６aに対応する位置に嵌め殺し窓Ａ８を設けておき、第二被覆壁Ｅの被覆部Ｅ１には採光用窓７aに対応する位置に嵌め殺し窓Ｅ１を設けておく。
【００３２】
次いで、第一被覆壁Ａの突出部Ａ１２，Ａ１３，Ａ１４を建物本体２の外壁面３aに固定し、被覆部Ａ１５を所定の位置に取り付けて第一被覆壁Ａを形成する。また、支持壁Ｃは所定の位置において基礎上に立設させる。さらに、第二被覆壁Ｅの突出部Ｅ２，Ｅ３を建物本体の外壁面３bに固定し、被覆部Ｅ１を所定の位置において基礎上に立設させて第二被覆壁Ｅを形成する。
そして、床部５bの正面側及び側面側の外縁部にそれぞれ上梁材Ｂ７，Ｄ７及び下梁材Ｂ８，Ｄ８を取り付ける。第一被覆壁Ａと支持壁Ｃとの間に上フレームＢ２及び下フレームＢ３を架け渡し、上フレームＢ２及び下フレームＢ３の両端部及び中間部に支柱部Ｂ４，Ｂ５，Ｂ６をそれぞれ取り付ける。同様にして、支持壁Ｃと第二被覆壁Ｅとの間にも上フレームＤ２、下フレームＤ３及び中間フレームＤ１２，Ｄ１３を架け渡し、上フレームＤ２、下フレームＤ３及び中間フレームＤ１２，Ｄ１３の両端部及び中間部に支柱部Ｄ４，Ｄ５，Ｄ６をそれぞれ取り付ける。その後、手摺パネルＢ１，Ｄ１の支持材Ｂ１０，Ｂ１０，…、Ｄ１０，Ｄ１０，…を、対応する支柱部Ｂ４，Ｂ５，Ｂ６，Ｄ４，Ｄ５，Ｄ６のブラケットＢ１１，Ｄ１１に嵌めこんでネジ止めする。
【００３３】
以上、本発明の実施の形態によれば、第一手摺壁Ｂは、上下に並べて設けられた複数の水平材Ｂ９，Ｂ９，…と、これら水平材Ｂ９，Ｂ９，…の左右方向に所定間隔に設けられて上下に延在して水平材Ｂ９，Ｂ９，…を支持する複数の支持材Ｂ１０，Ｂ１０，…とを備え、水平材Ｂ９の上面部Ｂ９５及び下面部Ｂ９６が正面部Ｂ９１側から背面部Ｂ９２側に向けて下方に傾斜しているので、地上から上方を見上げた際に各水平材Ｂ９，Ｂ９，…の下面部Ｂ９６によって視線を遮ることができる。また、各水平材Ｂ９，Ｂ９同士は所定間隔に上下に並べられているため、互いに隣接する水平材Ｂ９，Ｂ９同士の隙間Ｂ９aから採風を確保することができる。
また、互いに隣接する水平材Ｂ９，Ｂ９の隙間Ｂ９aを介して光が射し込むことになるが、上側の水平材Ｂ９の背面部Ｂ９２の下端部Ｂ９２aと、下側の水平材Ｂの背面部Ｂ９２の上端部Ｂ９２bとの間の高さＨと、水平材Ｂ９２の厚さＴと、冬至の南中時における太陽角度αと、夏至の南中時における太陽角度βとが上記式（１）を満たすので、四季や各地方に応じて日射角度の異なる日射しに対応した最適設計とすることができる。すなわち、各地方に対応した夏場の日射しＳを遮ることができるとともに冬場の日射しＷを確実に室内へと取り込むことができる。
さらに、上下に互いに隣接する水平材Ｂ９，Ｂ９の正面部Ｂ９１，Ｂ９１同士が同一平面上に配置され、背面部Ｂ９２，Ｂ９２同士は同一平面上に配置されているので、足の掛かりにくい形状とすることができる。また、バルコニー５の外側及び内側から見た際の外観を優れたものとすることができる。
【００３４】
また、上下に互いに隣接する水平材Ｂ９，Ｂ９の正面部Ｂ９１，Ｂ９１同士は同一平面上に配置され、平面部Ｂ９２，Ｂ９２同士も同一平面上に配置されているので、足の掛かりにくい形状とすることができる。また、バルコニー５の外側及び内側から見た際の外観を優れたものとすることができる。
そして、複数の水平材Ｂ９，Ｂ９は、複数の支持材Ｂ１０，Ｂ１０，…によって支持されているので、水平材Ｂ９の取り付けが容易となるとともに水平材Ｂ９を確実に支持固定することができる。
【００３５】
また、第二手摺壁Ｄ１も第一手摺壁Ｂ１と同様に複数の水平材Ｄ９，Ｄ９，…と複数の支持材Ｄ１０，Ｄ１０，…とを備えているので、上記と同様の効果を得ることが出来る。
【００３６】
なお、本発明は上記実施の形態に限定されるものではなく、その要旨を逸脱しない範囲で適宜変更可能である。
例えば、上記実施の形態において、手摺パネルＢ１，Ｄ１は、支持材Ｂ１０，Ｂ１０，…を水平材Ｂ９，Ｂ９，…の両端部及び中間部に設けるとしたが、その個数は適宜変更可能である。また、水平材Ｂ９，Ｄ９は左右に一列のみ設けるとしたが、第一被覆壁Ａと支持壁Ｃとの間の距離や、支持壁Ｃと第二被覆壁Ｅとの間の距離が長い場合には、水平材Ｂ９，Ｄ９を左右に複数列並べて設けるようにしても構わない。
【００３７】
また、上記実施の形態では、水平材Ｂ９の上面部Ｂ９５と下面部Ｂ９６とは互いに平行ではないとしたが、上記式（１）の関係を満たせば平行であっても良い。さらに、上面部Ｂ９５及び下面部Ｂ９６は背面部Ｂ９２側に向けて傾斜する平面であるとしたが、上記式（１）の関係を満たせば、例えば図１１に示す水平材Ｆ９のように、上面部Ｆ９５が上に凸となる曲面形状であるとしても良く、さらに図１２に示す水平材Ｇ９のように、上面部Ｇ９５が側断面視山形状となるように折り曲げた形状としても良い。このように上面部Ｆ９５，Ｇ９５を曲面形状や山形状とすることによって、上面部Ｆ９５，Ｇ９５に照射した光の反射を分散させることができ、夏場の強い日射しＳを遮ることができる。なお、図１１及び図１２中、水平材Ｂ９と同様の構成部分については同様の数字に英字Ｆ又はＧを付している。
【図面の簡単な説明】
【００３８】
【図１】建物１の外観斜視図である。
【図２】建物１の二階を示す平面図である。
【図３】第一手摺壁Ｂを構築する際の手順を示した斜視図であり、手摺パネルＢ１が取り付けられていない状態を示している。
【図４】第一手摺壁Ｂを構築する際の手順を示した斜視図であり、手摺パネルＢ１が取り付けられた状態を示している。
【図５】(a)は、手摺パネルＢ１の正面図、(b)は、手摺パネルＢ１の背面図、(c)は、手摺パネルの平面図である。
【図６】(a)は、手摺パネルＢ１のＸ−Ｘ線における矢視側面図、(b)は、Ｙ−Ｙ線における部分拡大図である。
【図７】互いに隣接する水平材Ｂ９，Ｂ９の側面図である。
【図８】手摺パネルＢ１と支柱部Ｂ６との取り付け手順を示す部分斜視図である。
【図９】第二手摺壁Ｄを構築する際の手順を示した斜視図であり、手摺パネルＤ１が取り付けられていない状態を示している。
【図１０】第二手摺壁Ｄを構築する際の手順を示した斜視図であり、手摺パネルＤ１が取り付けられた状態を示している。
【図１１】水平材Ｂ９の変形例で、互いに隣接する水平材Ｆ９，Ｆ９の側面図である。
【図１２】水平材Ｂ９の変形例で、互いに隣接する水平材Ｇ９，Ｇ９の側面図である。
【符号の説明】
【００３９】
１  建物
５  バルコニー
Ｂ  第一手摺壁
Ｂ９，Ｆ９，Ｇ９  水平材
Ｂ１０  支持材
Ｂ９１  正面部
Ｂ９２  背面部
Ｂ９３，Ｂ９４  側面部
Ｂ９５  上面部
Ｂ９６  下面部
Ｄ  第二手摺壁
Ｄ９  水平材
Ｄ１０  支持材
【図１】
2008150858.tif 000003
【図２】
2008150858.tif 000004
【図３】
2008150858.tif 000005
【図４】
2008150858.tif 000006
【図５】
2008150858.tif 000007
【図６】
2008150858.tif 000008
【図７】
2008150858.tif 000009
【図８】
2008150858.tif 000010
【図９】
2008150858.tif 000011
【図１０】
2008150858.tif 000012
【図１１】
2008150858.tif 000013
【図１２】
2008150858.tif 000014